(57)【要約】【課題】化学薬剤を用いず、建築物内の居住者や建築施工者への健康被害、土壌汚染等のおそれのない、取り扱いやすい防蟻シートを提供する。【解決手段】透湿性のあるシート材２にヒノキチオール成分を含有するヒバ油３を含浸させて防蟻シート１を構成し、建築物の基礎コンクリート５の周囲の土壌表面に敷設するなどして使用し得るようにした。【選択図】図２
2004121207.tif 000002
【特許請求の範囲】
【請求項１】
透湿性を有するシート材と、当該シート材に含浸させたヒノキチオール成分を含有するヒバ油とから構成してなることを特徴とする防蟻シート。
【請求項２】
シート材が、紙又は不織布である請求項１記載の防蟻シート。
【請求項３】
ヒバ油が、１０％〜５０％のヒノキチオール成分を含有するものである請求項１又は２記載の防蟻シート。
【請求項４】
シート材１Ｋｇ当たりに３〜１０ｇのヒバ油を含浸させている請求項１、２又は３記載の防蟻シート。
【発明の詳細な説明】
【０００１】
【発明の属する技術分野】
本発明は、建築物に対するシロアリ防除に有効な防蟻シート及びその好適な使用方法に関するものである。
【０００２】
【従来の技術】
建築物におけるシロアリ被害に対する防止策として、シロアリに対する殺虫、防虫又は忌避作用を有する化学薬剤を建築物の床下に散布したり、同様の化学薬剤を不織布等のシート材に含浸させ、このシート材を床パネルの下面に貼り付けるというような方法が従来より採用されている（特許文献１参照）。
【０００３】
【特許文献１】
特表２０００−５１０１４０号公報
【０００４】
【発明が解決しようとする課題】
ところが、化学薬剤の散布による方法では、薬剤の蓄積による土壌汚染、揮発した薬剤による居住者への健康被害、散布時の飛散による作業者への健康被害等の様々な問題が指摘されている。一方、薬剤を含浸させたシート材を床パネルに貼り付ける方法では、床下の土壌中から基礎コンクリートを這い上がったシロアリが、床部を避けて柱等の木部を食い荒らすことがある。さらにシロアリは、一般に湿潤な木材を好んで食べることがよく知られているが、木材の他にも布や紙はもちろん、コンクリート、土、ゴム、ある種のプラスチックス材等も食害又は案孔する極めて雑食性の高い害虫であることが知られてきている。そのため、基礎コンクリートもシロアリに食害されることがあるため、従来の方法では、有効にシロアリ被害を防止し得る対策とは言い難いといえる。
【０００５】
そこで本発明は、化学薬剤を使用することなく、シロアリの建築物への這い上がりを有効に防止できる防蟻シート及びその使用方法を提供するものである。
【０００６】
【課題を解決するための手段】
すなわち、本発明の防蟻シートは、透湿性を有するシート材と、当該シート材に含浸させたヒノキチオールを含有するヒバ油とから構成してなることを特徴とするものである。
【０００７】
ここで、ヒバ油は、青森ヒバや台湾ヒノキに代表される木材の抽出液に含まれており、ヒノキチオール等の化合物を含有し、シロアリやダニ等の害虫に対する高い忌避作用や、カビ等の雑菌の繁殖抑制などに高い作用を発揮する有用な天然物質であることが知られてきている。したがって、シート材にヒバ油を含浸させた構成の防蟻シートであれば、まず、天然成分であるヒバ油が含有されており、化学薬剤を使用しないことにより、土壌汚染や居住者への健康被害などの懸念を払拭することができる。また、ヒバ油はシート材に含浸された状態にあるので、直接的に土壌へ散布するという作業が不要となり、液剤や粉末等の薬剤の散布時における飛散による悪影響も排除することができる。なお、ヒバ油には、ヒノキチオール（β−ツヤプリシン）の他にも、シロアリに対する忌避作用を有するβ−ドラブリン等の成分も含まれており、これら天然成分の相乗効果によってシロアリ忌避作用が向上する。また、ヒバ油は、青森ヒバ等の抽出液の原液を用いてもよいし、原液を適宜希釈したものを用いてもよい。
【０００８】
このような防蟻シートにおいて、好適なシート材には、紙又は不織布を挙げることができる。
【０００９】
有効なシロアリ忌避作用を発揮するには、ヒバ油に、１０〜５０％のヒノキチオール成分を含有させるとよい。なお、ヒノキチオール成分の含有割合は、シロアリ忌避効果の有効な範囲であればコスト等との関係で適宜変更することができる。また、シート材１Ｋｇ当たりには、３〜１０ｇのヒバ油を含浸させておくと、シロアリ忌避効果を十分に発揮できることになる。
【００１０】
以上のような防蟻シートの有用な使用方法としては、建築物における基礎コンクリート部の周囲の地面に敷設して使用することが望ましい。このようにすることで、シロアリは防蟻シートを避けるため、土壌中から基礎コンクリートへシロアリが這い上がるのを好適に防止することができる。特に、（財）木材保存協会が推奨する方法である、基礎コンクリートから２０ｃｍの幅で防蟻剤を散布する方法に準じて、その幅寸法で基礎コンクリートの周囲に防蟻シートを敷設すれば、好適にシロアリ被害を防止することができる。
【００１１】
また、防蟻シートを、建築物における基礎コンクリート部から高さ約１ｍの範囲にある木材部の表面に貼付又は巻き付けて使用することによっても、基礎コンクリート上の木材にシロアリが上るのを防止できるため、建築物の構造材である木材へのシロアリによる食害を防ぐことが可能となる。さらに、この防蟻シートは、建築物における壁体、床材又は天井材とそれらの表面に施工される表面材との間に挟んで使用することによっても、その適用箇所ごとのシロアリ被害を有効に防止できる。
【００１２】
【発明の実施の形態】
以下、本発明の一実施形態を、図面を参照して説明する。
【００１３】
この実施形態の防蟻シート１は、紙製のシート材２にヒバ油３を含浸させて構成したものである。まず、シート材２は、例えば厚さ１ｍｍ以下乃至５ｍｍ程度の透湿性のある紙材からなるものであり、図１に示すようなロール状に巻いているか、或いは図示しないが大判のシート状に形成してある。このようなシート材２としては、幅寸法を約２０ｃｍとしておくことが望ましいが、それ以上の場合は必要な大きさに裁断し、それ以下の場合は複数のシート材２を並べて使用すればよい。一方、ヒバ油３は、青森ヒバ、台湾ヒノキ、木曽ヒノキ等ヒノキ科の植物の天然抽出油として得られるものであるが、本実施形態では例えば青森ヒバの木片、枝葉の水蒸気抽出により得られる油性成分のうちの酸性油を用いている。このようにして得られるヒバ油３には、ヒノキ科特有の７員環化合物であるトロポロン類が含まれており、そのなかでも特にシロアリに対して高い忌避効果を有する成分であるヒノキチオール（Ｃ１０Ｈ１２Ｏ２）及びその類縁体であるβ−ドラブリン（Ｃ１０Ｈ１０Ｏ２）との含有量が約２％で品質がほぼ一定に安定したものを利用している。そして、ヒバ油３を所定の容器４に注入しておき、この容器４内のヒバ油３に前記シート材２を浸す。なお、ヒバ油３には通常、１０〜５０％のヒノキチオールが含まれているが、シート材２に含浸させるヒバ油３が５％程度のヒノキチオールを含有するように、ヒバ油３を適宜希釈して容器４に入れておくこともできる。その後、ヒバ油３が揮発してしまわない程度に乾燥させることによって、シート材２にヒバ油３を含浸させた本実施形態の防蟻シート１が得られる。なお、このとき、シート材１には１Ｋｇ当たりに３〜１０ｇ、特にシロアリ忌避作用とコストパフォーマンスを考慮すると好ましくは約５ｇのヒバ油３が含まれるようにしておくことが望ましい。
【００１４】
このようにして得られた防蟻シート１は、次のようにして使用することで、高い防蟻効果を得ることができる。
【００１５】
まず、土壌Ｓ中から地面よりも立ち上げて形成された基礎コンクリート５への地中からのシロアリの這い上がりを防止するために、図２及び図３に示すように、（財）木材保存協会が推奨する防蟻剤の散布方法に準じて、防蟻シート１を基礎コンクリート５に沿って密接させて約２０ｃｍの幅寸法ｄ１で土壌Ｓの表面に敷設する。その他、基礎コンクリート５によって包囲される領域においては、その包囲された領域において露出している土壌Ｓ表面の全体に防蟻シート１を敷設してもよい。
【００１６】
また、図３に示すように、基礎コンクリート５上に配置・施工される柱や横木等の木材６を直接的にシロアリから保護するためには、これら木材６の表面に防蟻シート１を巻き付けておくとよい。なお、基礎コンクリート５から約１ｍの範囲の高さｄ２にある木材６に防蟻シート１を巻いておけば、シロアリが這い上るのを防止するためには十分である。
【００１７】
この他、図示しないが、建築物の壁体、床材、天井材等の表面とそれらの表面材との間に防蟻シート１を挟み込んでおくことによっても、その部位でのシロアリ被害を防止できる。また、畳の芯材と畳表との間に防蟻シート１を敷くことも有用である。
【００１８】
なお、本発明は上述した実施形態に限られるものではない。例えば、シート材を紙以外の透湿性のある材料として不織布等を適用することができる。その他、各部の具体的構成や具体的な使用方法についても上記実施形態に限られるものではなく、本発明の趣旨を逸脱しない範囲で種々変形が可能である。
【００１９】
【発明の効果】
以上に説明したように、本発明の防蟻シートによれば、化学薬剤ではなく天然のヒノキチオールを含有するヒバ油を透湿性のあるシート材に含浸させているため、使用した建築物の居住者や施工作業者への健康被害を防止するとともに、土壌汚染も防止することができる。特に、防蟻シートを基礎コンクリートの周囲に敷設したり、木材に巻き付けたり、壁体等とその表面材との間に挟むことで、防蟻シートから揮発するヒバ油中のヒノキチオールを始めとする有効成分によるシロアリ忌避作用によって、建築物へのシロアリ被害を有効に防止することが可能である。
【図面の簡単な説明】
【図１】本発明の一実施形態に係る防蟻シートを示す説明図。
【図２】同実施形態の防蟻シートの使用例を示す説明図。
【図３】同説明図。
【符号の説明】
１…防蟻シート
２…シート材
３…ヒバ油
５…基礎コンクリート
６…木材
【図１】
2004121207.tif 000003
【図２】
2004121207.tif 000004
【図３】
2004121207.tif 000005